(57)【要約】【課題】間仕切として配置され、薄型大画面テレビがすっきりと収納されると共に、薄型大画面テレビの背面側からも使い勝手のよい間仕切収納家具及びこれを用いた住宅を提供する。【解決手段】間仕切収納家具１０にあっては、仕切板３５によって仕切られた内部のリビング側が正面収納部１８を構成し、ダイニング側が背面収納部３９を構成している。高さＨ３は約８００ｍｍ、高さＨ２は、ダイニング側１２から天板２０の上面３０をカウンターとして利用するため、約９００ｍｍとなっている。天板２０の上面３０をカウンターとして、カウンターの下方にリビング１１側である正面及びダイニング１２側である背面の双方から使用される床面１５と床面１６との高低差を利用した収納が設置される。【選択図】図６
2008228930.tif 000002
【特許請求の範囲】
【請求項１】
第１の床面とその床面より高さの高い第２の床面との間に設置される間仕切収納家具であって、
天板と、
前記天板の下方に設けられ前記第１の床面の側に開口面が形成された、薄型大画面テレビを収納することができる正面収納部と、
前記天板の下方であると共に前記正面収納部の背面に設けられ、前記第２の床面の側に開口面が形成された背面収納部とを備え、
前記天板の上面から前記第２の床面までの高さが、前記第２の床面の側から前記天板をカウンターとして利用することができるように設定された、間仕切収納家具。
【請求項２】
前記背面収納部の下方に設けられ、前期正面収納部の背面に一体的に形成された配線収納部を更に備えた、請求項１記載の間仕切収納家具。
【請求項３】
前記正面収納部に形成された開口面をほぼ覆うように取り付けられた軸回し式の開き戸を更に備え、
前記開き戸は、その１枚の横幅が前期天板の奥行きよりも小さく、かつ、前記正面収納部の奥行きよりも大きく設定された、請求項１又は請求項２記載の間仕切収納家具。
【請求項４】
第１の床面と、
前記第１の床面に隣接して配置される前記第１の床面より高さの高い第２の床面と、
前記第１の床面と前記第２の床面との間に設置された間仕切収納家具とを備えた住宅であって、
前記間仕切収納家具は、天板と、
前記天板の下方に設けられ前記第１の床面の側に開口面が形成された、薄型大画面テレビを収納することができる正面収納部と、
前記天板の下方であると共に前記正面収納部の背面に設けられ、前記第２の床面の側に開口面が形成された背面収納部とを含み、
前記天板の上面から前記第２の床面までの高さが、前記第２の床面の側から前記天板をカウンターとして利用することができるように設定された、住宅。
【発明の詳細な説明】
【技術分野】
【０００１】
この発明は間仕切収納家具及びこれを用いた住宅に関し、特に高さの異なる床面の間に設置され薄型大画面テレビを収納することができる間仕切収納家具及びこれを用いた住宅に関するものである。
【背景技術】
【０００２】
室内空間のインテリア性を高めるために、テレビが家具の中に収納される収納家具が提案されている（特許文献１又は特許文献２参照）。これらの家具は室内空間のいずれかの壁面に沿って設置されている。テレビやＡＶ機器が収納されるために、上記家具の幅は大きくなる傾向にある。よって、これらの家具を設置するためには、窓やドア等の開口のない所定の長さの壁面が必要になる。所定の長さの壁面を確保することができない場合には、テレビは室内のコーナー部に配置されたり、薄型大画面テレビであれば、その薄型大画面テレビ自身が間仕切として例えばリビングとダイニングとの間に配置されたりしている。
【特許文献１】特開２００２−１５５６３６号公報
【特許文献２】特開平１１−２６２４１８号公報
【発明の開示】
【発明が解決しようとする課題】
【０００３】
上記のような従来のテレビが収納される収納家具では、所定の長さの壁面を確保することができなければ、その収納家具を設置することが困難である。最近需要が増加している薄型大画面テレビにあっては、室内のコーナー部に配置された場合に、薄型大画面テレビの背面に無駄なスペースが生じてしまい、必要以上に場所がとられてしまう。又、薄型大画面テレビが間仕切としてリビングとダイニングとの間に配置されると、ダイニング側からは薄型大画面テレビの背面、薄型大画面テレビに接続された他のオーディオビジュアル機器（以下「ＡＶ機器」と称する）類の背面及びこれらを接続する配線類が見え、見苦しくなり室内空間のインテリア性を損なう。
【０００４】
この発明は、上記のような課題を解決するためになされたもので、所定の長さの壁面を確保することができない場合あるいはそれとは無関係に間仕切として配置され、薄型大画面テレビがすっきりと収納されると共に、薄型大画面テレビの背面側からも使い勝手のよい間仕切収納家具及びこれを用いた住宅を提供することを目的とする。
【課題を解決するための手段】
【０００５】
上記の目的を達成するために、請求項１記載の発明は、第１の床面とその床面より高さの高い第２の床面との間に設置される間仕切収納家具であって、天板と、天板の下方に設けられ第１の床面の側に開口面が形成された、薄型大画面テレビを収納することができる正面収納部と、天板の下方であると共に正面収納部の背面に設けられ、第２の床面の側に開口面が形成された背面収納部とを備え、天板の上面から第２の床面までの高さが、第２の床面の側から天板をカウンターとして利用することができるように設定されたものである。
【０００６】
このように構成すると、カウンターが形成され、カウンターの下方に正面及び背面の双方から使用される床面の高低さを利用した収納が設置される。
【０００７】
請求項２記載の発明は、請求項１記載の発明の構成において、背面収納部の下方に設けられ、正面収納部の背面に一体的に形成された配線収納部を更に備えたものである。
【０００８】
このように構成すると、床面の高低差により背面収納部の下方を利用したスペースが生じる。
【０００９】
請求項３記載の発明は、請求項１又は請求項２記載の発明の構成において、正面収納部に形成された開口面をほぼ覆うように取り付けられた軸回し式の開き戸を更に備え、開き戸は、その１枚の横幅が天板の奥行きよりも小さく、かつ、正面収納部の奥行きよりも大きく設定されたものである。
【００１０】
このように構成すると、開き戸を閉めれば薄型大画面テレビ全体が隠れる。
【００１１】
請求項４記載の発明は、第１の床面と、第１の床面に隣接して配置される前記第１の床面より高さの高い第２の床面と、第１の床面と第２の床面との間に設置された間仕切収納家具とを備えた住宅であって、前記間仕切収納家具は、天板と、天板の下方に設けられ第１の床面の側に開口面が形成された、薄型大画面テレビを収納することができる正面収納部と、天板の下方であると共に正面収納部の背面に設けられ、第２の床面の側に開口面が形成された背面収納部とを含み、天板の上面から前記第２の床面までの高さが、第２の床面の側から天板をカウンターとして利用することができるように設定されたものである。
【００１２】
このように構成すると、薄型大画面テレビを収納することができる間仕切収納家具を挟んで床面に高低差のある空間が一体的に形成される。
【発明の効果】
【００１３】
以上説明したように、請求項１記載の発明は、カウンターが形成され、カウンターの下方に正面及び背面の双方から使用される床面の高低さを利用した収納が設置されるため、薄型大画面テレビをすっきりと収納し、薄型大画面テレビの背面を隠すと共にカウンターや収納として背面側からも有効に利用することができる。
【００１４】
請求項２記載の発明は、請求項１記載の発明の効果に加えて、床面の高低差により背面収納部の下方を利用したスペースが生じるため、薄型大画面テレビやＡＶ機器類の配線作業や配線の収納を容易に行うことができる。
【００１５】
請求項３記載の発明は、請求項１又は請求項２記載の発明の効果に加えて、開き戸を閉めれば薄型大画面テレビ全体が隠れるため、薄型大画面テレビを視聴していないとき、薄型大画面テレビを更にすっきりと収納することができる。
【００１６】
請求項４記載の発明は、薄型大画面テレビを収納することができる間仕切収納家具を挟んで床面に高低差のある空間が一体的に形成されるため、インテリア性を向上させると共に床面の高さに変化のある住宅を作ることができる。
【発明を実施するための最良の形態】
【００１７】
次に、発明の実施の形態について図を用いて説明する。
【００１８】
図１はこの発明の第１の実施の形態による間仕切収納家具が設置された住宅のプランの一部を示した平面図である。
【００１９】
図１を参照して、住宅のプランの一部は、リビング１１とリビング１１に階段１４を通じてつながるダイニング１２とダイニング１２につながるキッチン１３とから構成されている。第１の床面をリビング１１の床面１５とし、第２の床面をダイニング１２の床面１６とすれば、第２の床面であるダイニング１２の床面１６は、第１の床面であるリビング１１の床面１５より階段１４により昇降する高さだけ、段数でいえば４段分だけ高くなっている。この高低差のある床面１５と床面１６との間に、薄型大画面テレビ７０が収納された間仕切収納家具１０が設置されている。リビング１１とダイニング１２とは、間仕切収納家具１０及びその横に配置された階段１４とによって仕切られている。
【００２０】
尚、薄型大画面テレビ７０は、ソファやセンターテーブルが配置されたリビング１１側から視聴される。薄型大画面テレビ７０とは、ブラウン管形式のものと比較して奥行き方向の厚さが薄い液晶形式やプラズマ形式のものであって、３２型程度以上の大きさのものである。例えば、３７型、４２型、５０型、５８型、６５型等がある。
【００２１】
次に、間仕切収納家具１０について説明する。
【００２２】
図２は図１で示した間仕切収納家具の概略構成を示した正面図であり、図３は図１で示した間仕切収納家具であって、開き戸が開いて収納された状態の概略構成を示した正面図であり、図４は図１で示した間仕切収納家具の概略構成を示した背面図であり、図５は図３及び図４で示したＶ−Ｖラインの水平断面図であり、図６は、図３及び図４で示したＶＩ−ＶＩラインの垂直断面図である。
【００２３】
図５を中心にこれらの図を参照して、間仕切収納家具１０は、リビング１１とダイニング１２との境界線方向に延びるように箱型形状に構成され、リビング１１側及びダイニング１６側のほぼ全面に開口を有している。間仕切収納家具１０は、天井まで達していない平板状の天板２０と天板２０の一方端部から垂直に下方に接続される側板２１と、天板２０の他方端部から垂直に下方に接続される平板状の側板２２と、側板２１と対向するように天板２０の中間部分から接続される側板２３とを備えている。側板２１及び側板２３はその水平断面が鉤状に形成され、その鉤状に形成された部分に後述する開き戸２６・２６の一部が収納される戸袋が形成されている。側板２１と側板２３との間には平板状の仕切板３５がそれらと直交して中間部分を接続するように配置され、仕切板３５によって間仕切収納家具１０の内部がリビング１１側とダイニング１２側との二つに仕切られている。仕切板３５によって仕切られた内部のリビング１１側が正面収納部１８を構成し、ダイニング１２側が背面収納部３９を構成している。又、側板２２と側板２３との間には仕切板３７がそれらと直交して中間部分を接続するように配置され、同様に間仕切収納家具１０の内部がリビング１１側とダイニング１２側との二つに仕切られている。仕切板３７によって仕切られた間仕切収納家具１０の内部のリビング１１側が物入部１９を構成し、ダイニング１２側が物入部４０を構成している。更に、図６を参照して、上記正面収納部１８の背面であると共に上記背面収納部３９の下方が、配線収納部４５を構成している。
【００２４】
換言すれば、上記住宅は、第１の床面であるリビング１１の床面１５と、床面１５に隣接して配置される床面１５より高さの高い第２の床面であるダイニング１２の床面１６と、床面１５と床面１６との間に設置された間仕切収納家具１０とを備えている。そして、間仕切収納家具１０は、天板２０と、天板２０の下方に設けられ床面１５の側に開口面が形成された、薄型大画面テレビを収納することができる正面収納部１８と、天板２０の下方であると共に正面収納部１８の背面に設けられ、床面１６の側に開口面が形成された背面収納部３９とを含み、天板２０の上面３０から床面１６までの高さが、床面１６の側から天板２０をカウンターとして利用することができるように設定されている。
【００２５】
図２、図３及び図５を参照して、正面収納部１８は、開口面をほぼ全面覆う例えば木製平板状からなる軸回し式の開き戸２６・２６と、その内部には平板状の底板２４の上面に設置されたテレビ台３１とを備えている。開き戸２６・２６は、その１枚の横幅が天板２０の奥行きよりも小さく、かつ、正面収納部１８の奥行きＤよりも大きく設定されている。又、埋込み式の把手２７が取り付けられ軸回し機構によって薄型大画面テレビ７０の側方に収納される。開き戸２６・２６の動作については後述する。テレビ台３１は、開き戸２６・２６を収納した状態での開き戸２６・２６同士の間隔ほぼいっぱいの幅に形成された平板状の天板３２と、天板３２と垂直方向に接続される複数の平板状の垂直板３３と、垂直板３３の各々の間に配置されるダボ等により高さ調整が可能な平板状の可動棚３１とから構成され、底板２４に固定されている。上記テレビ台３２の上に薄型大画面テレビ７０が設置され、底板２４や可動棚３１の上に、二点鎖線で示すように薄型大画面テレビ７０と接続されるＴＶチューナーやＤＶＤレコーダー等のＡＶ機器類が設置される。このようにテレビ台３２を間仕切収納家具１０の一部として造り付け家具のように一体的に構成すると、薄型大画面テレビ７０やＡＶ機器類の設置位置がほぼ決定されるため、薄型大画面テレビ７０やＡＶ機器類の設置が容易となる。
【００２６】
物入部１９は、開口面をほぼ全面覆う例えばガラス製からなる平板状の開き戸２８・２８と、平板状の底板２５と、ダボ等により高さ調整が可能な複数の平板状の可動棚３８とを備えている。物入部１９には、ＤＶＤ−Ｒ等のメディア類や雑誌を始めとして、リビング１５に面しているためリビング１５において使用頻度の高いもの等を収納すると便利である。
【００２７】
図４及び図５を参照して、背面収納部３９は、上記正面収納部１８の背面であってダイニング１２の床面１６より上方に構成され、床面１６の高さに合わせて設置された固定棚４１とダボ等により高さ調整が可能な２枚の可動棚４２とを備えている。物入部４０は、背面収納部３９と同様に、固定棚４３と、可動棚４４とを備えている。背面収納部３９や物入部４０には、ダイニング１６に面しているため、ダイニング１６で利用するもの等を収納すると便利である。又、収納後の形態が多少見苦しくなったとしても、リビング１５側からは見えないため効率的な収納となる。
【００２８】
図６を参照して、配線収納部４５は、床面１５と床面１６の高低差により生じる背面収納部３９の下方のスペースを利用して構成されている。配線収納部４５は、側面の側板２１と側板２３とに挟まれ、上面の固定棚４１と背面の背板３６と下面の底板２４とに囲まれ、正面が正面収納部１８と一体となっている。上記配線収納部４５を利用して、薄型大画面テレビ７０やＴＶチューナーやＤＶＤレコーダー等のＡＶ機器類の配線作業や配線の収納を容易に行うことができる。
【００２９】
次に、正面収納部１８に取り付けられた開き戸２６・２６の動作について説明する。
【００３０】
図５を参照して、開き戸２６・２６が閉じられた状態が２点鎖線で示されている。一般の観音開きの開き戸と同様に、破線で示される位置まで開き戸２６・２６を開く。次に、実線で示される位置まで開き戸２６・２６の各々を側板２１及び側板２３に沿って正面収納部１８の内部に押し込む。すると、開き戸２６・２６が薄型大画面テレビ７０の側方に収納される。この状態でリビング１５側から薄型大画面テレビ７０を視聴することとなる。一方、薄型大画面テレビ７０を視聴していないとき、開き戸２６・２６を閉めれば薄型大画面テレビ７０全体が隠れるため、薄型大画面テレビ７０をすっきりと収納させることができると共に、リビング１１空間のインテリア性を向上させることができる。尚、正面収納部１８の正面視左側の物入部１９に取り付けられた開き戸２８・２８は、一般の観音開きの開き戸と同様に二点鎖線で示される閉じられた状態から実線で示される位置まで開く。
【００３１】
次に、第１の床面であるリビング１１の床面１５、第２の床面であるダイニング１２の床面１６及び間仕切収納家具１０の天板２０の高さ関係について説明する。
【００３２】
図６を参照して、リビング１１の床面１５から天板２０の上面３０までの高さをＨ１、ダイニング１２の床面１６から天板２０の上面３０までの高さをＨ２、リビング１１の床面１５からダイニング１２の床面１６までの高さをＨ３とする。高さＨ３は住宅の設計時に決定される寸法であり、階段１４の段数４段分で約８００ｍｍとなっている。高さＨ２は、ダイニング側１２から天板２０の上面３０は、カウンターとして利用するため、約９００ｍｍとなっている。高さＨ１は、高さＨ２と高さＨ３との合計となるため約１７００ｍｍとなり、これが正面収納部１８の高さとなる。テレビ台３１は約４００ｍｍの高さがあり、薄型大画面テレビ７０は、二点鎖線で示されるように５８型で約１０００ｍｍの高さがある。上記のような高さ関係により、間仕切収納家具１０に薄型大画面テレビ７０が収納される。奥行き寸法Ｄについては、薄型大画面テレビ７０だけでなくＡＶ機器類のことも考慮して約５００ｍｍとなっている。尚、ダイニング側１２から天板２０をカウンターとして利用することができる高さＨ３とは、使用者が立った状態で天板２０の上面３０に無理なく手をのせることができる高さであり、約８００ｍｍから約９５０ｍｍまでの範囲が適している。収納される薄型大画面テレビ７０の大きさに合わせて、テレビ台３１や天板２０の高さを調整するとよい。一方、幅方向についても、正面収納部１８の側方に接続される物入部１９の幅を調整するとよい。
【００３３】
以上より間仕切収納家具１０にあっては、天板２０の上面３０をカウンターとして、カウンターの下方にリビング１１側である正面及びダイニング１２側である背面の双方から使用される床面１５と床面１６との高低差を利用した収納が設置される。したがって、薄型大画面テレビ７０をすっきりと収納し、薄型大画面テレビ７０の背面を隠すと共にカウンターや収納として背面側からも有効に利用することができる。更に、間仕切収納家具１０が、ダイニング１２側から人が転落しないようにするための転落防止腰壁としての機能も果たす。
【００３４】
図７はこの発明の第２の実施の形態による間仕切収納家具の概略構成を示した正面図であり、図８は図７で示した間仕切収納家具の概略構成を示した背面図であり、図９は図７及び図８で示したＩＸ−ＩＸラインの水平断面図であり、図１０は図７及び図８で示したＸ−Ｘラインの垂直断面図である。各々、先の第１の実施の形態による図３、図４、図５及び図６に対応した図である。
【００３５】
基本的な構成は第１の実施の形態による間仕切収納家具１０と共通するので、異なる点を中心に説明する。
【００３６】
図９を中心にこれらの図を参照して、第１の実施の形態では、正面収納部１８及び背面収納部３９の側方に物入部１９及び物入部４０が側板２３を介して構成されていたが、第２の実施の形態では、正面収納部１８及び背面収納部３９のみで構成され、開き戸２６・２６も取り付けられず、正面収納部１８の内部には、造り付けのテレビ台３１や配線収納部４５も構成されていない。間仕切収納家具５０は、平板状の天板５１と天板５１の両端の各々から下方に接続される平板状の側板５２・５２と、側板５２・５２の各々の間にそれらと直交して接続される平板状の仕切板６２とを備えている。側板５２・５２は、側面視において床面１５と床面１６との高低差に合わせて、矩形形状の切欠きが形成されている。上記仕切板６２は、その切欠きの垂直方向の辺に整列して接続されている。仕切板６２によって仕切られた内部のリビング１１側が正面収納部１８を構成し、ダイニング１２側が背面収納部３９を構成している。
【００３７】
図７及び図９を参照して、正面収納部１８は、キャスター５８によって移動自在なテレビ台５３と、キャスター６１によって移動自在な可動収納５９とを備えている。テレビ台５３は、薄型大画面テレビ７０のほぼ同一幅の平板状の天板５４及び底板５６と、天板５４及び底板５６の各々と垂直方向に接続される複数の平板状の垂直板５５と、垂直板５５の各々の間に配置されるダボ等により高さ調整が可能な平板状の可動棚５７と、底板５６の四隅に取り付けられたキャスター５８とから構成されている。可動収納５９は、上下方向に延びる箱型形状を有し、その高さが正面収納部１８の内法高さに合わせて設定されている。又、上下に配置された複数の引出し６０によって構成され、底面の四隅にはキャスター６１が取り付けられている。このように構成される正面収納部１８にあっては、テレビ台５３に薄型大画面テレビ７０やＡＶ機器類が設置され、テレビ台５３の側方であって床面１５上に二点鎖線で示されるホームシアターセットの一部であるフロントスピーカーやサブウーハーが設置されている。可動収納５９には、ＡＶ機器関連のものやリビング１１で日常よく使用するもの等を収納することができる。
【００３８】
図８及び図９を参照して、背面収納部３９は、上記正面収納部１８の背面であってダイニング１２の床面１６より上方に構成され、床面１６上に設置された固定棚６４と、固定棚６４から垂直方向に仕切る複数の垂直板６３と、垂直板６３の各々の間に設置されたダボ等により高さ調整が可能な複数の可動棚６５とを備えている。背面収納部３９には、例えばダイニング１２で日常よく使用するもの等を収納することができる。
【００３９】
図６を参照して、第１の床面であるリビング１１の床面１５、第２の床面であるダイニング１２の床面１６及び間仕切収納家具５０の天板２０の高さ関係及び奥行きについては、先の第１の実施の形態と同様である。第２の実施の形態では、正面収納部１８の背面に配線収納部４５が設けられていないため、間仕切収納家具５０全体をダイニング１２側に寄せて、リビング１１側の床面積を大きくすることができる。
【００４０】
以上より間仕切収納家具５０にあっては、天板２０の上面３０をカウンターとして、カウンターの下方にリビング１１側である正面及びダイニング１２側である背面の双方から使用される床面１５と床面１６との高低差を利用した収納が設置される。したがって、薄型大画面テレビ７０をすっきりと収納し、薄型大画面テレビ７０の背面を隠すことができる。テレビ台５３及び可動収納５９が移動自在なため、それらとホームシアターセットのフロントスピーカーやサブウーハー等とを合わせて、正面収納部１８内において自由に配置することができる。ダイニング１２側である背面側からもカウンターや収納として有効に利用することができる。
【００４１】
一方、間仕切収納家具１０や間仕切収納家具５０が設置される住宅にあっては、薄型大画面テレビ７０を収納することができる間仕切収納家具１０や間仕切収納家具５０を挟んで床面１５及び床面１６のように床面に高低差のある空間が一体的に形成されるため、インテリア性を向上させると共に床面の高さに変化のある住宅を作ることができる。
【００４２】
尚、上記の各実施の形態では、高さＨ１、高さＨ２及び高さＨ３が一定に設定されているが、薄型大画面テレビを収納することができ、天板をカウンターとして利用することができれば、他の高さに設定されてもよい。
【００４３】
又、上記の各実施の形態では、幅及び奥行きが一定に設定されているが、薄型大画面テレビを収納することができれば、住宅のプランに合わせて、他の幅及び奥行きに設定されてもよい。第１の実施の形態においては、正面収納部の側方に配置された物入部を構成しなくてもよい。
【００４４】
更に、上記の各実施の形態では、背面収納部は可動棚や垂直板等によって構成されているが、ダイニング側からの利用を考慮して、開き戸を取り付ける等他の構成にしてもよい。
【００４５】
更に、上記の各実施の形態では、５８型の薄型大画面テレビが設置されているが、天板をカウンターとして利用することができれば、間仕切収納家具の高さや幅を調整して他の大きさの薄型大画面テレビを設置してもよい。
【００４６】
更に、上記の各実施の形態では、間仕切収納家具の側方に階段が配置されているが、間仕切収納家具が高低差のある床面同士の接続部分に設置されていれば、階段はなくてもよい。
【００４７】
更に、上記の各実施の形態では、正面収納部にテレビ台が配置されているが、市販のテレビ台を使用してもよい。
【００４８】
更に、上記の第１の実施の形態では、正面収納部の背面に配線収納部が構成されているが、第２の実施の形態のように配線収納部はなくてもよい。逆に、第２の実施の形態において、第１の実施の形態のように配線収納部を構成してもよい。
【図面の簡単な説明】
【００４９】
【図１】この発明の第１の実施の形態による間仕切収納家具が設置された住宅のプランの一部を示した平面図である。
【図２】図１で示した間仕切収納家具の概略構成を示した正面図である。
【図３】図１で示した間仕切収納家具であって、開き戸が開いて収納された状態の概略構成を示した正面図である。
【図４】図１で示した間仕切収納家具の概略構成を示した背面図である。
【図５】図３及び図４で示したＶ−Ｖラインの水平断面図である。
【図６】図３及び図４で示したＶＩ−ＶＩラインの垂直断面図である。
【図７】この発明の第２の実施の形態による間仕切収納家具の概略構成を示した正面図である。
【図８】図７で示した間仕切収納家具の概略構成を示した背面図である。
【図９】図７及び図８で示したＩＸ−ＩＸラインの水平断面図である。
【図１０】図７及び図８で示したＸ−Ｘラインの垂直断面図である。
【符号の説明】
【００５０】
１０，５０    間仕切収納家具
１５，１６    床面
１８    正面収納部
２０，３２    天板
２６    開き戸
３９    背面収納部
４５    配線収納部
７０    薄型大画面テレビ
【図１】
2008228930.tif 000003
【図２】
2008228930.tif 000004
【図３】
2008228930.tif 000005
【図４】
2008228930.tif 000006
【図５】
2008228930.tif 000007
【図６】
2008228930.tif 000008
【図７】
2008228930.tif 000009
【図８】
2008228930.tif 000010
【図９】
2008228930.tif 000011
【図１０】
2008228930.tif 000012